(57)【要約】      （修正有）【課題】雨天時の自転車用雨除けとして運転者の防水性を確保し、濡れたまま雨除け具を収納でき、短時間での作業が可能なロールドームを提供する。【解決手段】ロールドーム１は、透明シートと収納ボックスが一体型で構成され、透明シートは、中央のメインフレームと両サイドのサブフレームに張り付けられ、ドーム型を形成し、収納ボックスに巻き取り式で収納される。ロールドームは自転車後方に取り付けられ、展開した透明シートが前カゴに設置される。展開と収納が極めて短時間であり、雨天時の自転車用雨除けとして役立つ。【選択図】図１
0003226913.tif 000002
【実用新案登録請求の範囲】
【請求項１】
メインシートと両サイドのサブシートに透明シートを使用し、中央のメインシートが前方及び上部にサブシートが左右に展開し防水する。巻き取り収納ボックスと一体型で、透明シートを巻き取り収納する。
上記を構成する自転車用雨よけ具を、ロールドームと名付ける。
【請求項２】
フック付きマグネットプレートを使用して、透明シートをドーム型に展開する。巻取りハンドルを反転させて、磁力の力を利用して差し込む。ハンドルを差し込む位置で、透明シートの高さを調節する。
磁石を活用して透明シートを自転車に展開し、巻き取り式で収納する簡易作業としたところを特徴とするロールドーム。
【考案の詳細な説明】
【技術分野】
【０００１】  本発明は、雨天時にロールドームを自転車に設置図１に示すと、展開及び巻き取り収納するまでに関するものである。
【背景技術】
【０００２】  近年、高齢者ドライバーの交通事故が多く社会問題となっている。免許証の返納が好ましい現在、自動車に代わる移動手段として自転車がある。自転車の場合、雨天時の使用が一つの抵抗となる。それはレインコート等の雨具を着用する不快感や、荷物が濡れる等がある。またレインコート等の雨具を使用した場合、目的地に到着後濡れた雨具の保管方法や、帰宅時に濡れたままの雨具を着ないといけない。
そこで雨よけ対策として、簡易的な屋根を取り付けるものがある。
（特許文献１参照）
【先行技術文献】
【特許文献】
【０００３】
【特許文献１】特開２００１−４８０７６号公報
【考案の概要】
【考案が解決しようとする課題】
【０００４】  特許文献１の先行技術は、簡易屋根の部分が小さく雨除けの効果が少ない。特に下半身が濡れてしまう。また、濡れたまま簡易屋根を折り畳まないといけないなどの問題がある。
【課題を解決するための手段】
【０００５】  ロールドームは、図２に示すように中央のメインフレームと両サイドのサブフレームに、透明シート１Ｂ・１Ｂａ・１Ｂｂを張り付けた構成である。さらに巻き取り収納ボックスと一体型で、透明シート部を巻き取り収納する。
本発明は、図１に示すようにロールドーム１を自転車に設置し、雨天時に透明シート部を展開し、運転者の防水を確保することを目的としている。また、巻き取り収納ボックスから透明シート部を引き出し、自転車前方の前カゴ前部に接続するまでが単時間で、前カゴから透明シート部を外し巻き取り収納するまでも単時間であり、簡易作業であることが最も主要な特徴である。【０００６】  ロールドームの透明シート部分は、図２に示すようにメインシートの１Ｂと両側部１Ｂａ・１Ｂｂで構成している。図３に示すように左右のサブフレームが可動することで、収納時は１Ｂａ・１Ｂｂが畳まれる。また透明シートが引き出されると、１Ｂａ・１Ｂｂが開く状態になる。また巻き取りの様子は、図４に示すように収納していく。【０００７】  図５に示すように透明シート先端部１Ｃは、鉄製の金属を有する。自転車前方の前カゴ前部に、フック付きマグネットプレート２をカゴ上部から挿入し、２か所のネジ部とナットで取り付ける。透明シート展開時は、鉄製の１Ｃとフック付きマグネットプレート２を接続する。
図６に示すように、自転車後部の荷台に取付け専用台３Ａを４本のネジで設置し、巻き取り収納ボックス１Ａを装着する。巻き取り収納ボックスは、自転車との脱着が可能で施錠式である。
【実施の説明１】
【０００８】  透明シート展開方法
巻き取り収納ボックスの巻取りハンドル１Ａａを反転させる。巻き取り収納ボックス上部のマグネットプレート１Ａｂから１Ｃを外す。透明シートを引き出し、ドーム型を成形する。自転車前カゴ前方部の、フック付きマグネットプレート２のフック部２Ａを１Ｃの１Ｃａを通し、１Ｃをフック付きマグネットプレート２に接続する。巻取りハンドル１Ａａを反転させ、１Ａａ１を１Ａａ２に差し込む。
【実施の説明２】
【０００９】  透明シート巻き取り方法
１Ｃをフック部２Ａに通し、フック付きマグネットプレート２から取外す。巻き取り収納ボックスの巻取りハンドル１Ａａを反転させる。巻取りハンドル１Ａａを右側に回して、透明シートを収納する。巻き取り収納ボックス上部のマグネットプレート１Ａｂに１Ｃを装着する。巻取りハンドル１Ａａを反転させ、１Ａａ１を１Ａａ２に差し込む。
【考案の効果】
【００１０】  雨天時に巻き取り収納ボックスから、透明シートを展開するまでの時間が極めて短い。
メインシートの１Ｂと両側部１Ｂａ・１Ｂｂがドーム型を形成し、防水範囲が広い。そのため、自転車の走行時と停止時に濡れることが少ない。
巻取りハンドル１Ａａの１Ａａ１を、１Ａａ２に差し込む位置を調整することで、透明シートの高さを調節出来る。
前カゴにフック付きマグネットプレートを設置し、透明シートと前カゴの脱着を簡素化でき容易に巻き取れることから、巻取り収納するまでの時間が極めて短い。
巻き取り収納ボックスが脱着式であるため、雨天時以外は巻き取り収納ボックスを外した状態で、自転車を使用出来る。
【００１１】  前カゴと荷台の有る現在多く市販されている自転車に、ロールドームを簡単に設置出来る。
透明シートを展開するまでと、巻き取り収納するまでの時間が極めて短く、目的地に到着後の保管方法等の問題が解決できる大きな利点である。
【図面の簡単な説明】
【００１２】
【図１】図１は、ロールドームの設置を示した説明図である。
【図２】図２は、ロールドームの説明図である。
【図３】図３は、ロールドームの透明シート部を示した説明図である。
【図４】図４は、透明シート部の巻取り過程を示した説明図である。
【図５】図５は、透明シート先端部とフック付きマグネットプレートを示した説明図である。（実施の説明１・２）
【図６】図６は、取付け専用台と巻き取り収納ボックス脱着方法を示した説明図である。（実施の説明１・２）
【図７】図７は、巻き取り収納ボックスの巻取りハンドル使用方法を示した説明図である。（実施の説明１・２）
【考案を実施するための形態】
【００１３】  巻き取り収納ボックスの脱着方法は、図６に示す１Ａｃ部左右を引くと１Ａｄ部は中央に寄り、１Ａｃ部を戻すと１Ａｄ部も戻りロック状態になる。１Ａｅ部の鍵穴で施錠（図示せず）すると１Ａｃ部を引くことができなくなる。
【００１４】  巻き取り収納ボックスの巻取りハンドル１Ａａは、図７に示すように反転式で１Ａａ１部は磁石を有し、１Ａａ２部の丸穴奥は鉄板になっている。巻取りハンドルの１Ａａ１部を丸穴１Ａａ２部に差し込むことで、磁石の引き付ける力を利用してハンドルを固定する。
【００１５】  フック付きマグネットプレート２と、巻き取り収納ボックス上部のマグネットプレート１Ａｂも、磁石の引き付ける力を利用して１Ｃを固定する。
【符号の説明】１  ロールドーム
２  フック付きマグネットプレート
３  取付け専用台
【図１】
0003226913.tif 000003
【図２】
0003226913.tif 000004
【図３】
0003226913.tif 000005
【図４】
0003226913.tif 000006
【図５】
0003226913.tif 000007
【図６】
0003226913.tif 000008
【図７】
0003226913.tif 000009
【手続補正書】
【提出日】令和2年2月3日(2020.2.3)
【手続補正１】
【補正対象書類名】実用新案登録請求の範囲
【補正対象項目名】全文
【補正方法】変更
【補正の内容】
【実用新案登録請求の範囲】
【請求項１】
「巻き取り収納ボックスから展開する透明シートにおいて、
（１）中央部（前方・上部）のメインシートと左右側部のサブシートでドーム型を形成し、
（２）降り注ぐ雨から運転者をカバーし、
（３）巻き取り収納できる、
以上の（１）〜（３）の構成からなるロールドーム。」
【請求項２】
「前カゴ前方フック部にマグネットプレートを設け、巻き取り収納ボックスの上部にマグネットプレートを設けるとともに、巻取りハンドルの反転側にマグネットを設け、磁石を活用して透明シートの展開と巻き取りを短時間で容易であるところを特徴とするロールドーム。」
【手続補正書】
【提出日】令和2年4月8日(2020.4.8)
【手続補正１】
【補正対象書類名】実用新案登録請求の範囲
【補正対象項目名】全文
【補正方法】変更
【補正の内容】
【実用新案登録請求の範囲】
【請求項１】
巻き取り収納ボックスに有する透明シートにおいて、
（１）透明シートがドーム型を形成されており、
（２）降り注ぐ雨から運転者をカバーし、
（３）透明シートが巻き取り収納される、
以上の（１）〜（３）の構成からなるロールドーム。
【請求項２】
請求項１記載のロールドームが自転車後方に位置し、取付け専用台で自転車に装着したところに、透明シートが展開し前カゴに設置されており、透明シートの展開を容易としたところを特徴とするロールドーム。